(57)【要約】
【目的】  屋外で行われるテニスなどのコート周縁に設置して使用される球技用防球フェンスに係り、従来品が持つ欠点、即ち、脚が固定されているので収納に嵩張り多くのスペースを必要としていること、そのために輸送コストがかかるなどの解決を図ることを目的としている。
【構成】左右に配された佇立状の支柱管１３と、この支柱管と支柱管の間を連結する連結管１１と、連結管１１下方にピン１５で回動自在に設けられ且つ、前記連結管を間に挟む形で止ピン１７ａ，１７ｂを植設した回転脚１６とから構成されたことを特徴とし、また、回転脚１６の両端にキャスターを取付け、上下二段に連結管１１，２１を設ける大型の場合にも対応できるようにしている。
【選択図】  図３
0003101463.tif 000002
【実用新案登録請求の範囲】
【請求項１】
左右に対向して配された佇立の支柱管１３と、この２本の支柱管の間を連結する連結管１１と、該連結管の下方にピン１５で回動自在に設けられ、且つ、前記連結管を間に挟む形で止ピン１７ａ，１７ｂを植設した回転脚１６とから構成されたことを特徴とする球技用防球フェンス。
【請求項２】
支柱管と支柱管との間を連結する連結管１１の下方に設けられた回転脚１６の両端に、キャスター１２を取付けた請求項１記載の球技用防球フェンス。
【考案の詳細な説明】
【考案の詳細な説明】
【技術分野】
【０００１】  屋外で行われる球技、例えばテニスなどのコート周縁に設置して使用される球技用防球フェンスに関するものである。
【背景技術】
【０００２】  従来品としては、図１に示したように、左右に配された脚２間を連結管１で連結し、前記脚に佇立された支柱管３に防球ネット４を架張設されたものが最も一般的なものとして知られている。
したがってこれらの従来品は、脚は固定されているので、収納に嵩張り多くのスペースを必要としてほか、輸送コストがかかるなどの欠点を有していた。
【考案が解決しようとする課題】
【０００３】  本考案が解決しようとする課題は、従来品が有する上記欠点を除去した球技用防球フェンスを提供しようとするものである。
つまり、設置の簡便性と安定性を向上させるばかりでなく、脚を連結管の下方に収納して全体的容積を小さくし、収納スペースが少なく済むようにして、大幅な輸送コスト削減を図ろうとするものである。
【課題を解決するための手段】
【０００４】  佇立状態で左右に対向して配された支柱管１３と、この支柱管の間を連結する連結管１１と、該連結管の下方に、ピン１５で回動自在に設け、且つ、前記連結管を間に挟む形で対向して止ピン１７ａ，１７ｂを植設した回転脚１６とから構成されたことを特徴としている。また回転脚の両側端にキャスターを取付けて、設置の簡便性と安定性の向上を図り、合わせ、連結管を上下二段に設けるような大型のものであっても十分に効果が発揮されるように考案されている。
【作用】
【０００５】  本考案は以上のように、佇立状態で左右に対向して配された支柱管と、該支柱管の間を連結する連結管と、この連結管の下方に回動自在に設け、且つ、前記連結管を挟む形で対向して止ピンを植設した回転脚とから形成したものなので、設置するときは、連結管下方に収納する形で設けられている回転脚を回転すれば、連結管と回転脚とは略クロス状を成し、安定した状態を呈する。
【０００６】  また、回転脚には連結管を間に挟む形で対向して止ピンが植設されているので、脚は一定以上回転せず停止することとなる。つまり、この対向したピンは脚の回転ストッパーの役目を果たしている。
【０００７】  連結管の下方に回動自在に設けられる回転脚の両側端に、キャスターを取付けているので、設置が簡便であるばかりでなく、支柱管の間を連結する連結管が上下二段に設けられる大型のものであっても、前記実施例の時と同様に作用するので、設置及び回収は労せず行えるばかりでなく、嵩張るないので輸送コストを大幅に削減する。
【考案の実施形態】
【０００８】  以下に本考案実施の形態について図面を参照して説明する。本考案は主要な三つの部材から構成され、第一の部材は、左右に対向して佇立状態に配された支柱管１３で、第二の部材は、この支柱管の間を連結する連結管１１で、第三の部材は、この連結管下方に回動自在に設けられる回転脚１６である。
【０００９】  図２は、本考案球技用防球フェンスの全体を示していて、図３は要部の一部切欠図説明図である。図において、支柱管１３は佇立状態で左右に対向して配され、連結管１１は支柱管と支柱管との間に連結する形で架設されている。
該連結管下方には、ピン１５で回動自在に設けられ、且つ、連結管を間に挟む形で止ピン１７ａ，１７ｂを植設した回転脚１６が取付けられる。
【００１０】  図４は、本考案を大型の球技用防球フェンスに採用した実施の形態を示したもので、支柱管１３は佇立状態で左右に対向して配され、この支柱管と支柱管との間に連結する形で連結管が上下二段１１，２１に架設され、該連結管の内、上段の連結管下方にあって、下段の連結管上方に、ピン１５で回動自在に設けられ、且つ、上段の連結管を間に挟む形で止ピン１７ａ，１７ｂを植設した回転脚１６が取付けられ、この回転脚の両端部下方にキャスター１２が取付けられている。
このとき、該キャスター１２の輪外周が下段の連結管よりも下方にあり、常時接地状態を呈していることが必要で、さらに、キャスターにストッパー機能を具備させることは、より本考案を実効性のあるものとしている。
【００１１】  図５は、本考案の作動を説明するもので、連結管１１の下方にピン１５で回動自在に設けられているので、脚１６は図中矢印方向に回動自在となっている。また、この脚には連結管を間に挟み込む形で止ピン１７ａ，１７ｂが植設されているので、このピンは、図に示すように脚は一定以上回転しないようストッパーの役目を果たしている。
【考案の効果】
【００１２】  以上のように本考案の防球フェンスは、左右に配された佇立状の支柱管と支柱管の間を連結管で連結し、この連結管の両側端寄り下方に回動自在に脚を設け、且つ、つ、前記連結管を間に挟む形で止ピンを植設して形成されていること、大型のものにあっては、連結管を上下二段に形成するとともに、下段連結管が接地することが無いように、回転脚の両側端寄り下方にキャスターを取付けたものであるから、これらの防球フェンスを設置するときは、設置場所で脚を回転させればそのまま安定した状態を保ち設置が完了することができる。
【００１３】  回収するときは脚を連結管の下方に回転させれば良く、至極簡単に作動が行われ、脚が連結管の下方に納まるので、従来品に比べその収納スペースは大幅に縮小でき、輸送コストも大きく削減できる効果は大きい。
さらに大型の防球フェンスの場合は、支柱管と支柱管の間を上下二段の連結管で連結し、安定性を確保しつつ、下段の連結管が接地しないように、キャスターを回転脚の両側端に取付けているので、小型のものと同様、脚を回動させるだけで大型でも難なく設置ができ、且つ回収ができるので、児童・生徒の作業でも危険性が無いばかりでなく、簡便に取り扱え、設置回収作業ができる効果は大きい。
【図面の簡単な説明】
【図１】最もよく知られた球技用防球フェンスの従来品全体図。
【図２】本考案球技用防球フェンスの全体図である。
【図３】本考案要部の一部切欠図説明図である。
【図４】大型の球技用防球フェンスに本考案を採用した実施の形態を示した説明図。
【図５】本考案の脚作動説明図。
【符号の説明】
１１連結管    １２キャスター    １３支柱管    １５ピン    １６回転脚
１７ａ，１７ｂピン
２１下段連結管
【図１】
0003101463.tif 000003
【図２】
0003101463.tif 000004
【図３】
0003101463.tif 000005
【図４】
0003101463.tif 000006
【図５】
0003101463.tif 000007